(57)【要約】【課題】移動機の契約がなされている一の通信網以外の他の通信網の電話番号を発呼先に通知できる通信制御方法及び通信制御装置を提供すること。【解決手段】ローミングＧＷ３０を用いて制御する通信制御方法であって、指定されたＭＳＩＳＤＮをメモリに記録し、この後、複数の通信網の各々から送信される複数の加入者情報を受信し、複数の加入者情報の各々に含まれている複数のＭＳＩＳＤＮのうちメモリに記録されているＭＳＩＳＤＮと一致するＭＳＩＳＤＮを移動機１０の発呼先に通知する通知用番号に設定する。【選択図】図４
2008125012.tif 000002
【特許請求の範囲】
【請求項１】
複数の通信網毎に設定された複数の電話番号の割り当てられた一の移動機の通信を、ローミング用の通信制御装置を用いて制御する通信制御方法であって、
前記移動機の発呼先に通知する電話番号として該移動機から指定された電話番号を、前記通信制御装置が該通信制御装置のメモリに記録する指定電話番号記録ステップと、
前記指定電話番号記録ステップの後、前記移動機の位置登録要求に応じて前記複数の通信網の各々から送信される複数の加入者情報を、前記通信制御装置が受信する加入者情報受信ステップと、
前記複数の加入者情報の各々に含まれている前記複数の電話番号のうち前記通信制御装置の前記メモリに記録されている電話番号と一致する電話番号を、前記移動機の発呼先に通知する通知用番号に前記通信制御装置が設定する通知用番号設定ステップと、
前記通信制御装置により設定された前記通知用番号を含む加入者情報を、該通信制御装置が前記移動機の在圏交換機に送信する加入者情報送信ステップと、
前記通信制御装置からの加入者情報に含まれている前記通知用番号を、前記在圏交換機が該在圏交換機のメモリに記録する通知用番号記録ステップと
を含む、ことを特徴とする通信制御方法。
【請求項２】
複数の通信網毎に設定された複数の電話番号の割り当てられた一の移動機の通信を、ローミング用の通信制御装置を用いて制御する通信制御方法であって、
前記移動機の位置登録要求に応じて前記複数の通信網の各々から送信される複数の加入者情報を、前記通信制御装置が受信する加入者情報受信ステップと、
前記複数の加入者情報の各々に含まれている前記複数の電話番号のうち前記移動機の在圏する通信網に属する電話番号を、前記移動機の発呼先に通知する通知用番号に前記通信制御装置が設定する通知用番号設定ステップと、
前記通信制御装置により設定された前記通知用番号を含む加入者情報を、該通信制御装置が前記移動機の在圏交換機に送信する加入者情報送信ステップと、
前記通信制御装置からの加入者情報に含まれている前記通知用番号を、前記在圏交換機が該在圏交換機のメモリに記録する通知用番号記録ステップと
を含む、ことを特徴とする通信制御方法。
【請求項３】
前記通知用番号記録ステップの後、前記移動機が前記在圏交換機に発信要求を送信する発信要求送信ステップと、
前記在圏交換機が前記発信要求を前記移動機から受信すると、該発信要求を、該発信要求の発信先の通信網に前記通知用番号と共に前記在圏交換機が送信する要求送信ステップと
を更に含む、ことを特徴とする請求項１又は２に記載の通信制御方法。
【請求項４】
複数の通信網毎に設定された複数の電話番号の割り当てられた一の移動機に対しローミングを行う通信制御装置であって、
前記移動機の発呼先に通知する電話番号として該移動機から指定された電話番号を、当該通信制御装置のメモリに記録する指定電話番号記録手段と、
前記移動機の位置登録要求に応じて前記複数の通信網の各々から送信される複数の加入者情報を受信する加入者情報受信手段と、
前記複数の加入者情報の各々に含まれている前記複数の電話番号のうち前記メモリに記録されている電話番号と一致する電話番号を、前記移動機の発呼先に通知する通知用番号に設定する通知用番号設定手段と、
前記通知用番号を含む加入者情報を、前記移動機の在圏交換機に送信する加入者情報送信手段と
を備える、ことを特徴とする通信制御装置。
【請求項５】
複数の通信網毎に設定された複数の電話番号の割り当てられた一の移動機に対しローミングを行う通信制御装置であって、
前記移動機の位置登録要求に応じて前記複数の通信網の各々から送信される複数の加入者情報を受信する加入者情報受信手段と、
前記複数の加入者情報の各々に含まれている前記複数の電話番号のうち前記移動機の在圏する通信網に属する電話番号を、前記移動機の発呼先に通知する通知用番号に設定する通知用番号設定手段と、
前記通知用番号を含む加入者情報を、前記移動機の在圏交換機に送信する加入者情報送信手段と
を備える、ことを特徴とする通信制御装置。
【発明の詳細な説明】
【技術分野】
【０００１】
本発明は、通信制御方法及び通信制御装置に関する。
【背景技術】
【０００２】
移動体通信システムの標準規格である３ＧＰＰ（3rd  Generation  Partnership  Project）の仕様が非特許文献１に記載されている。この非特許文献１によれば、一の移動機のＳＩＭ（Subscriber  Identification  Module）に記録されている一つのＩＭＳＩ（International  Mobile  Subscriber  Identity）に対し複数の電話番号が登録可能となっている。
【非特許文献１】3GPP  TS31.102  4.2.26,  Version  6.15.0,  [online],  [retrieved  on  16  October  2006],  Retrieved  from  the  Internet：<URL:http://www.3gpp.org/ftp/Specs/2006-09/Rel-6/31_series/31102-6f0.zip>.
【発明の開示】
【発明が解決しようとする課題】
【０００３】
しかし、例えば、移動機の契約がなされている一国（自国）の通信網以外の他の国の通信網の電話番号がこの移動機のＩＭＳＩに登録されている場合、この電話番号を発呼先に通知することは３ＧＰＰ規格に規定されていない。このため、例えば、海外から発呼を行う場合、自国の通信網で用いている電話番号を海外の通信網で用いる電話番号に換えなければならない。そこで本発明の目的は、移動機の契約がなされている一の通信網以外の他の通信網の電話番号を発呼先に通知できる通信制御方法及び通信制御装置を提供することを目的とする。
【課題を解決するための手段】
【０００４】
本発明は、複数の通信網毎に設定された複数の電話番号の割り当てられた一の移動機の通信を、ローミング用の通信制御装置を用いて制御する通信制御方法であって、移動機の発呼先に通知する電話番号として該移動機から指定された電話番号を、通信制御装置が該通信制御装置のメモリに記録する指定電話番号記録ステップと、指定電話番号記録ステップの後、移動機の位置登録要求に応じて複数の通信網の各々から送信される複数の加入者情報を、通信制御装置が受信する加入者情報受信ステップと、複数の加入者情報の各々に含まれている複数の電話番号のうち通信制御装置のメモリに記録されている電話番号と一致する電話番号を、移動機の発呼先に通知する通知用番号に通信制御装置が設定する通知用番号設定ステップと、通信制御装置により設定された通知用番号を含む加入者情報を、該通信制御装置が移動機の在圏交換機に送信する加入者情報送信ステップと、通信制御装置からの加入者情報に含まれている通知用番号を、在圏交換機が該在圏交換機のメモリに記録する通知用番号記録ステップとを含む、ことを特徴とする。
【０００５】
また、本発明は、複数の通信網毎に設定された複数の電話番号の割り当てられた一の移動機に対しローミングを行う通信制御装置であって、移動機の発呼先に通知する電話番号として該移動機から指定された電話番号を、当該通信制御装置のメモリに記録する指定電話番号記録手段と、移動機の位置登録要求に応じて複数の通信網の各々から送信される複数の加入者情報を受信する加入者情報受信手段と、複数の加入者情報の各々に含まれている複数の電話番号のうちメモリに記録されている電話番号と一致する電話番号を、移動機の発呼先に通知する通知用番号に設定する通知用番号設定手段と、通知用番号を含む加入者情報を、移動機の在圏交換機に送信する加入者情報送信手段とを備える、ことを特徴とする。
【０００６】
本発明によれば、発呼先への通知用番号が発信者により選択できるので、通信網毎に設定された複数の電話番号の何れに対しても通知用番号の設定が可能となる。従って、例えば、海外において、他国の通信網において利用可能な電話番号を通知用番号に用いることなく、自網（自国の通信網）の電話番号を通知用番号に用いることができる。このため、海外から行う発呼に対しても、自網で用いている通知用番号を換えることなく、継続して利用可能となる。
【０００７】
また、本発明は、複数の通信網毎に設定された複数の電話番号の割り当てられた一の移動機の通信を、ローミング用の通信制御装置を用いて制御する通信制御方法であって、移動機の位置登録要求に応じて複数の通信網の各々から送信される複数の加入者情報を、通信制御装置が受信する加入者情報受信ステップと、複数の加入者情報の各々に含まれている複数の電話番号のうち移動機の在圏する通信網に属する電話番号を、移動機の発呼先に通知する通知用番号に通信制御装置が設定する通知用番号設定ステップと、通信制御装置により設定された通知用番号を含む加入者情報を、該通信制御装置が移動機の在圏交換機に送信する加入者情報送信ステップと、通信制御装置からの加入者情報に含まれている通知用番号を、在圏交換機が該在圏交換機のメモリに記録する通知用番号記録ステップとを含む、ことを特徴とする。また、本発明は、複数の通信網毎に設定された複数の電話番号の割り当てられた一の移動機に対しローミングを行う通信制御装置であって、移動機の位置登録要求に応じて複数の通信網の各々から送信される複数の加入者情報を受信する加入者情報受信手段と、複数の加入者情報の各々に含まれている複数の電話番号のうち移動機の在圏する通信網に属する電話番号を、移動機の発呼先に通知する通知用番号に設定する通知用番号設定手段と、通知用番号を含む加入者情報を、移動機の在圏交換機に送信する加入者情報送信手段とを含む、ことを特徴とする。従って、本発明によれば、移動機の在圏する通信網の電話番号を通知用番号に自動的に設定できる。
【０００８】
更に、本発明では、通知用番号記録ステップの後、移動機が在圏交換機に発信要求を送信する発信要求送信ステップと、在圏交換機が発信要求を移動機から受信すると、該発信要求を、この発信要求の発信先の通信網に通知用番号と共に在圏交換機が送信する要求送信ステップとを更に含む。従って、在圏交換機のメモリに記録された通知用番号が、移動機の発呼先に対し、移動機の発呼時に確実に通知できる。
【発明の効果】
【０００９】
本発明によれば、移動機の契約がなされている一の通信網以外の他の通信網の電話番号を発呼先に通知できる。
【発明を実施するための最良の形態】
【００１０】
以下、図面を参照して、本発明に係る好適な実施形態について詳細に説明する。なお、図面の説明において、可能な場合には、同一要素には同一符号を付し、重複する説明を省略する。図１を参照して、実施形態に係る通信制御システム１の構成を説明する。通信制御システム１は、移動機１０、ＭＳＣ／ＳＧＳＮ２０（Mobile  Switching  Center、Serving  GPRS  Support  Node）、ローミングＧＷ３０（GateWay）、ＨＬＲ＿自網４０（Home  Location  Register）、ＨＬＲ＿他網５０及びＧＭＳＣ６０（Gateway  MSC）を備える。移動機１０は、携帯電話等の通信端末であり、移動機１０のＳＩＭに記録されているＩＭＳＩ（後述の「ＩＭＳＩ：自網」）には複数の電話番号が登録可能となっている。以下、自網とは、移動機１０の契約する通信網を意味する。また、他網とは、自網以外の他の通信網を意味する。そして、移動機１０の在圏する通信網は、自網又は他網の何れかである。ＭＳＣ／ＳＧＳＮ２０は、移動機１０の在圏する通信網に設けられた在圏交換機であり、ＭＳＣ又はＳＧＳＮを意味する。ローミングＧＷ３０は、移動機１０の在圏する通信網や、自網及び他網等、複数の通信網の間においてローミング処理を行う通信制御装置である。
【００１１】
ＨＬＲ＿自網４０は、自網に設けられたＨＬＲであり、ＩＭＳＩやＭＳＩＳＤＮ（Mobile  Station  ISDN  number  definition）を含む移動機１０の加入者情報を管理する。ＨＬＲ＿自網４０の管理する移動機１０のＩＭＳＩ、ＭＳＩＳＤＮを、それぞれ「ＩＭＳＩ：自網」、「ＭＳＩＳＤＮ：自網」という。ＨＬＲ＿他網５０は、他網に設けられたＨＬＲであり、ＩＭＳＩやＭＳＩＳＤＮを含む移動機１０の加入者情報を管理する。ＨＬＲ＿他網５０の管理する移動機１０のＩＭＳＩ、ＭＳＩＳＤＮを、それぞれ「ＩＭＳＩ：他網」、「ＭＳＩＳＤＮ：他網」という。加入者情報は、加入者の契約プラン情報及び契約サービス情報等や、ＩＭＳＩ及びＭＳＩＳＤＮ等を含んでおり、移動機１０の契約に係る各種情報を含む。
【００１２】
なお、以下において、電話番号をＭＳＩＳＤＮと称する場合がある。また、「Ｘ：Ｙ」とする記載は、「Ｙに設定されているＸ」を意味する。例えば、「ＩＭＳＩ：自網」の記載は、「自網に設定されているＩＭＳＩ」を意味しており、「ＭＳＩＳＤＮ：自網」の記載は、「自網に設定されているＭＳＩＳＤＮ」を意味している。また、「ＩＭＳＩ：他網」の記載は、「他網に設定されているＩＭＳＩ」を意味しており、「ＭＳＩＳＤＮ：他網」の記載は、「他網に設定されているＭＳＩＳＤＮ」を意味している。ＧＭＳＣ６０は、移動機１０の在圏する通信網に設けられた関門交換機である。ＭＳＣ／ＳＧＳＮ２０は、移動機１０と無線通信を行い、ローミングＧＷ３０とＧＭＳＣ６０とに有線接続されている。ローミングＧＷ３０は、ＨＬＲ＿自網４０とＨＬＲ＿他網５０とに有線接続されている。
【００１３】
次に、図２及び図３を参照して、ローミングＧＷ３０の構成を説明する。図２に示すように、ローミングＧＷ３０は、物理的には、ＣＰＵ３１、ＲＡＭ３２、ＲＯＭ３３、入力装置３４、出力装置３５、通信装置３６及び記録装置３７を有しており、これらはバス３８に接続されている。ＣＰＵ３１は、ＲＯＭ３３等の内蔵メモリに格納された所定のコンピュータソフトウェアをＲＡＭ３２にロードして実行することにより、ローミングＧＷ３０を統括的に制御する。入力装置３４は、データ入力用デバイスであり、入力されたデータをＣＰＵ３１に出力する。出力装置３５は、ＬＣＤ等の表示装置であり、ＣＰＵ３１から入力されたデータをＬＣＤ等に表示する。通信装置３６は、ＭＳＣ／ＳＧＳＮ２０、ＨＬＲ＿自網４０及びＨＬＲ＿他網５０等、複数の通信網の間でローミングを行うためのインターフェイスを有する。記録装置３７は、移動機１０等の複数の移動機に対する加入者情報等を格納する大容量メモリである。
【００１４】
ＣＰＵ３１は、図３に示す複数の機能を実現する。図３は、ＣＰＵ３１により実現されるローミングＧＷ３０の機能を示すブロック図である。ローミングＧＷ３０は、機能的には、指定電話番号記録部３１１（指定電話番号記録手段）、加入者情報受信部３１２（加入者情報受信手段）、通知用番号設定部３１３（通知用番号設定手段）及び加入者情報送信部３１４（加入者情報送信手段）を有する。指定電話番号記録部３１１〜加入者情報送信部３１４は、ＣＰＵ３１が上述のコンピュータソフトウェアを実行し、図２に示すローミングＧＷ３０の各構成部を動作させることにより実現される機能である。特に、ＣＰＵ３１は、指定電話番号記録部３１１〜加入者情報送信部３１４を用いて、図４に示すローミングＧＷ３０が行う処理を実行する。
【００１５】
指定電話番号記録部３１１は、移動機１０の発呼先に通知するＭＳＩＳＤＮとして移動機１０から指定されたＭＳＩＳＤＮを、記録装置３７に記録する。加入者情報受信部３１２は、移動機１０のアタッチ・位置登録要求に応じて複数の通信網の各々から送信される複数の加入者情報を受信する。通知用番号設定部３１３は、加入者情報受信部３１２により受信された複数の加入者情報の各々に含まれている複数のＭＳＩＳＤＮのうち記録装置３７に記録されているＭＳＩＳＤＮと一致するＭＳＩＳＤＮを、移動機１０の発呼先に通知する通知用番号に設定する。加入者情報送信部３１４は、通知用番号設定部３１３により設定された通知用番号を含む加入者情報をＭＳＣ／ＳＧＳＮ２０に送信する。
【００１６】
次に、図４を参照し、実施形態に係る通信制御方法を説明する。図４は、この通信制御方法を説明するためのシーケンスである。まず、ローミングＧＷ３０の指定電話番号記録部３１１は、移動機１０の発呼先に通知するＭＳＩＳＤＮとして、ユーザにより移動機１０から指定されたＭＳＩＳＤＮを記録装置３７に記録する（指定電話番号記録ステップ）。この指定されたＭＳＩＳＤＮは、例えば、自網や他網のＭＳＩＳＤＮであり、移動機１０からＭＳＣ／ＳＧＳＮ２０を介してローミングＧＷ３０に送信される。
【００１７】
この後、移動機１０は、「ＩＭＳＩ：自網」を含むアタッチ・位置登録要求をＭＳＣ／ＳＧＳＮ２０に送信し（ステップＳ１）、ＭＳＣ／ＳＧＳＮ２０は、この送信を受けて、「ＩＭＳＩ：自網」及び「ｖｌｒＮｕｍｂｅｒ：ＭＳＣ／ＳＧＳＮ」を含むアタッチ・位置登録要求をローミングＧＷ３０に送信する（ステップＳ２）。ここで、ｖｌｒＮｕｍｂｅｒとは、ＶＬＲ（Visitor  Location  Register）を識別するための番号を意味する。ステップＳ２の後、ローミングＧＷ３０の加入者情報受信部３１２は、移動機１０からＭＳＣ／ＳＧＳＮ２０を介して送信された移動機１０のアタッチ・位置登録要求に応じて、複数の通信網（自網や他網）の各々から送信される複数の加入者情報（通信網毎の加入者情報）を受信する（ステップＳ３〜ステップＳ６、加入者情報受信ステップ）。
【００１８】
この加入者情報受信ステップにおいて、加入者情報受信部３１２は、まず、自網へのアタッチ・位置登録を開始する（ステップＳ３）。このステップＳ３において、加入者情報受信部３１２は、ＭＳＣ／ＳＧＳＮ２０から送信されたアタッチ・位置登録要求に含まれている「ｖｌｒＮｕｍｂｅｒ：ＭＳＣ／ＳＧＳＮ」を、「ｖｌｒＮｕｍｂｅｒ：ローミングＧＷ」に変換する。この変換の後、加入者情報受信部３１２は、自網へのアタッチ・位置登録を実行する（ステップＳ４）。このステップＳ４において、加入者情報受信部３１２は、「ＩＭＳＩ：自網」及び「ｖｌｒＮｕｍｂｅｒ：ローミングＧＷ」を含むアタッチ・位置登録要求をＨＬＲ＿自網４０に送信する。ＨＬＲ＿自網４０は、このアタッチ・位置登録要求に応じて、ＨＬＲ＿自網４０の管理する移動機１０に対する加入者情報をローミングＧＷ３０にダウンロードする。このダウンロードされる加入者情報は、「ＩＭＳＩ：自網」及び「ＭＳＩＳＤＮ：自網」を含む。この後、加入者情報受信部３１２は、加入者情報のダウンロード応答をＨＬＲ＿自網４０に送信し、ＨＬＲ＿自網４０は、この応答を受けてローミングＧＷ３０にアタッチ・位置登録応答を送信する。このアタッチ・位置登録応答は、「ｈｌｒＮｕｍｂｅｒ：ＨＬＲ＿自網」を含む（以上、ステップＳ４）。ここで、ｈｌｒＮｕｍｂｅｒとは、ＨＬＲを識別するための番号を意味する。
【００１９】
上述のように自網へのアタッチ・位置登録が行われた後、加入者情報受信部３１２は、他網へのアタッチ・位置登録を開始する（ステップＳ５）。このステップＳ５において、加入者情報受信部３１２は、ＭＳＣ／ＳＧＳＮ２０から送信されたアタッチ・位置登録要求に含まれている「ＩＭＳＩ：自網」を「ＩＭＳＩ：他網」に変換し、「ｖｌｒＮｕｍｂｅｒ：ＭＳＣ／ＳＧＳＮ」を「ｖｌｒＮｕｍｂｅｒ：ローミングＧＷ」に変換する。この変換の後、加入者情報受信部３１２は、他網へのアタッチ・位置登録を実行する（ステップＳ６）。このステップＳ６において、加入者情報受信部３１２は、まず、「ＩＭＳＩ：他網」及び「ｖｌｒＮｕｍｂｅｒ：ローミングＧＷ」を含むアタッチ・位置登録要求をＨＬＲ＿他網５０に送信する。ＨＬＲ＿他網５０は、このアタッチ・位置登録要求に応じて、ＨＬＲ＿他網５０の管理する移動機１０に対する加入者情報をローミングＧＷ３０にダウンロードする。このダウンロードされる加入者情報は、「ＩＭＳＩ：他網」及び「ＭＳＩＳＤＮ：他網」を含む。この後、加入者情報受信部３１２は、加入者情報のダウンロード応答をＨＬＲ＿他網５０に送信し、ＨＬＲ＿他網５０は、この応答を受けてローミングＧＷ３０にアタッチ・位置登録応答を送信する。このアタッチ・位置登録応答は、「ｈｌｒＮｕｍｂｅｒ：ＨＬＲ＿他網」を含む（以上、ステップＳ６）。
【００２０】
ステップＳ６の後、ローミングＧＷ３０の通知用番号設定部３１３は、ステップＳ３〜ステップＳ６においてＨＬＲ＿自網４０及びＨＬＲ＿他網５０から取得した複数の加入者情報の各々に含まれているＭＳＩＳＤＮのうち、指定電話番号記録ステップにおいてローミングＧＷ３０の記録装置３７に記録されたＭＳＩＳＤＮと一致するＭＳＩＳＤＮを、移動機１０の発呼先に通知する通知用番号に設定する（ステップＳ７、通知用番号設定ステップ）。この設定されたＭＳＩＳＤＮは、「ＭＳＩＳＤＮ：通知用番号」である。「ＭＳＩＳＤＮ：通知用番号」は、通知用番号が自網のＭＳＩＳＤＮの場合「ＭＳＩＳＤＮ：自網」であり、通知用番号が他網のＭＳＩＳＤＮの場合「ＭＳＩＳＤＮ：他網」である。このステップＳ７の後、加入者情報送信部３１４は、「ＩＭＳＩ：自網」及び「ＭＳＩＳＤＮ：通知用番号」を含む加入者情報を、ＭＳＣ／ＳＧＳＮ２０にダウンロードする（ステップＳ８、加入者情報送信ステップ）。ステップＳ８の後、ＭＳＣ／ＳＧＳＮ２０は、ローミングＧＷ３０からダウンロードした加入者情報に含まれる「ＩＭＳＩ：自網」及び「ＭＳＩＳＤＮ：通知用番号」をＭＳＣ／ＳＧＳＮ２０のＶＬＲに格納し（ステップＳ９、通知用番号記録ステップ）、加入者情報のダウンロード応答をローミングＧＷ３０に送信する（ステップＳ１０）。
【００２１】
ローミングＧＷ３０は、この応答を受けると、「ｈｌｒＮｕｍｂｅｒ：ローミングＧＷ」の設定を行い（ステップＳ１１）、この「ｈｌｒＮｕｍｂｅｒ：ローミングＧＷ」をアタッチ・位置登録応答に含めてＭＳＣ／ＳＧＳＮ２０に送信し（ステップＳ１２）、ＭＳＣ／ＳＧＳＮ２０は、このローミングＧＷ３０からの応答に応じて、このアタッチ・位置登録応答を移動機１０に送信する（ステップＳ１３）。このステップＳ１３の処理により、上述した一連のアタッチ・位置登録処理の完了が移動機１０により確認できる。
【００２２】
次に、図５に示すシーケンスを参照して、実施形態に係る発信制御について説明する。以下、図４に示すステップＳ１〜Ｓ１３は完了されているものとする。また、ＭＳＣ／ＳＧＳＮ２０は、ＭＳＣのみを意味する。このため、図５には、ＭＳＣ／ＳＧＳＮ２０に替えてＭＳＣが記載されている。まず、移動機１０は、ＭＳＣ／ＳＧＳＮ２０に音声通話の発信要求を送信する（ステップＳ２０、発信要求送信ステップ）。この発信要求は、移動機１０が他の通信機と音声通話を行うことができるよう要求するための信号である。そこで、ＭＳＣ／ＳＧＳＮ２０は、この発信要求を受けると、ＭＳＣ／ＳＧＳＮ２０のＶＬＲに保持されている「ＭＳＩＳＤＮ：通知用番号」を、移動機１０の発呼先に通知する通知用番号（発呼時の通知用番号）に設定する（ステップＳ２１）。ＭＳＣ／ＳＧＳＮ２０は、移動機１０からの発信要求を、この「ＭＳＩＳＤＮ：通知用番号」と共に、この発信要求の発信先の通信網（本実施形態においては、移動機１０の在圏する通信網）に設けられたＧＭＳＣ６０に送信する（ステップＳ２２、要求送信ステップ）。そして、ステップＳ２２の後、ＧＭＳＣ６０がこの発信要求及び「ＭＳＩＳＤＮ：通知用番号」をＭＳＣ／ＳＧＳＮ２０から受けると、この「ＭＳＩＳＤＮ：通知用番号」に基づいて従来の発信制御が行われる（ステップＳ２３）。
【００２３】
次に、実施形態に係る通信制御システム１の作用効果を説明する。複数の通信網毎に設定された複数のＭＳＩＳＤＮの割り当てられた移動機１０の通信を、ローミングＧＷ３０を用いて制御する実施形態に係る通信制御方法は、移動機１０の発呼先に通知するＭＳＩＳＤＮとして移動機１０から指定されたＭＳＩＳＤＮを、ローミングＧＷ３０が記録装置３７に記録する指定電話番号記録ステップと、指定電話番号記録ステップの後、移動機１０のアタッチ・位置登録要求に応じて複数の通信網の各々から送信される複数の加入者情報を、ローミングＧＷ３０が受信する加入者情報受信ステップと、複数の加入者情報の各々に含まれている複数のＭＳＩＳＤＮのうち記録装置３７に記録されているＭＳＩＳＤＮと一致するＭＳＩＳＤＮを、移動機１０の発呼先に通知するＭＳＩＳＤＮにローミングＧＷ３０が設定する通知用番号設定ステップと、ローミングＧＷ３０により設定された通知用番号を含む加入者情報を、ローミングＧＷ３０がＭＳＣ／ＳＧＳＮ２０に送信する加入者情報送信ステップと、ローミングＧＷ３０からの加入者情報に含まれている通知用番号を、ＭＳＣ／ＳＧＳＮ２０がＭＳＣ／ＳＧＳＮ２０のＶＬＲに記録する通知用番号記録ステップとを含む。そして、通知用番号記録ステップの後、移動機１０がＭＳＣ／ＳＧＳＮ２０に発信要求を送信する発信要求送信ステップと、ＭＳＣ／ＳＧＳＮ２０が発信要求を移動機１０から受信すると、この発信要求を、この発信要求の発信先の通信網（ＧＭＳＣ６０）に通知用番号（「ＭＳＩＳＤＮ：通知用番号」）と共にＭＳＣ／ＳＧＳＮ２０が送信する要求送信ステップとを更に含む。
【００２４】
また、複数の通信網毎に設定された複数のＭＳＩＳＤＮの割り当てられた移動機１０に対しローミングを行う実施形態に係るローミングＧＷ３０は、移動機１０の発呼先に通知するＭＳＩＳＤＮとして移動機１０から指定されたＭＳＩＳＤＮを記録装置３７に記録する指定電話番号記録部３１１と、移動機１０のアタッチ・位置登録要求に応じて複数の通信網の各々から送信される複数の加入者情報を受信する加入者情報受信部３１２と、複数の加入者情報の各々に含まれている複数のＭＳＩＳＤＮのうち記録装置３７に記録されているＭＳＩＳＤＮと一致するＭＳＩＳＤＮを、移動機１０の発呼先に通知する通知用番号に設定する通知用番号設定部３１３と、通知用番号を含む加入者情報を、ＭＳＣ／ＳＧＳＮ２０に送信する加入者情報送信部３１４とを備える。
【００２５】
従って、実施形態に係る通信制御システム１によれば、発呼先への通知用番号が発信者により選択できるので、通信網毎に設定された複数のＭＳＩＳＤＮの何れに対しても通知用番号の設定が可能となる。従って、例えば、海外において、他国の通信網において利用可能なＭＳＩＳＤＮを通知用番号に用いることなく、自網（自国の通信網）のＭＳＩＳＤＮを通知用番号に用いることができる。このため、海外から行う発呼に対しても、自網で用いている通知用番号を換えることなく、継続して利用可能となる。
【００２６】
＜変形例＞  なお、本発明は、上述の実施形態に限らない。例えば、ユーザにより指定されたＭＳＩＳＤＮを通知用番号に設定するとしたが、これに限らず、移動機１０の在圏する通信網のＭＳＩＳＤＮを通知用番号に自動的に設定する構成であってもよい。この場合のローミングＧＷ３０は、機能的には、加入者情報受信部３１２、通知用番号設定部３１３及び加入者情報送信部３１４を有する。このうち、通知用番号設定部３１３は、上述の通知用番号設定部３１３の機能に換えて、加入者情報受信部３１２により受信された複数の加入者情報の各々に含まれている複数の電話番号のうち移動機１０の在圏する通信網に属する電話番号を、移動機１０の発呼先に通知する通知用番号に設定する、という機能を実現する。この場合の加入者情報受信部３１２〜加入者情報送信部３１４は、ＣＰＵ３１がコンピュータソフトウェアを実行し、図２に示すローミングＧＷ３０の各構成部を動作させることにより実現される機能である。特に、ＣＰＵ３１は、加入者情報受信部３１２〜加入者情報送信部３１４を用いて、図６に示すローミングＧＷ３０が行う処理を実行する。
【００２７】
図６は、この場合の通信制御方法を説明するためのシーケンスである。図６に示すステップＳ３１及びステップＳ３２は、図４に示すステップＳ１及びステップＳ２と同様である。また、図６に示すステップＳ３３は、図４に示すステップＳ３及びステップＳ４の一連の処理内容と同様であり、図６に示すステップＳ３４は、図４に示すステップＳ５及びステップＳ６の一連の処理内容と同様である。そして、ステップＳ３４の後、ローミングＧＷ３０の通知用番号設定部３１３は、ステップＳ３２において、移動機１０の在圏する通信網に設けられたＭＳＣ／ＳＧＳＮ２０から送信されたアタッチ・位置登録要求に含まれる「ｖｌｒＮｕｍｂｅｒ：ＭＳＣ／ＳＧＳＮ」に基づいて、移動機１０の在圏する通信網のＭＳＩＳＤＮ（「ＭＳＩＳＤＮ：在圏通信網」）を特定し、この特定したＭＳＩＳＤＮを通知用番号に設定する（ステップＳ３５、通知用番号設定ステップ）。この場合、ローミングＧＷ３０の記録装置３７には、移動機１０に対する通信網毎の複数の加入者情報が記録されており、移動機１０の在圏する通信網における加入者情報は、この複数の加入者情報に含まれている。
【００２８】
ステップＳ３５の後、ローミングＧＷ３０の加入者情報送信部３１４は、「ＩＭＳＩ：自網」及び「ＭＳＩＳＤＮ：在圏通信網」を含む加入者情報をＭＳＣ／ＳＧＳＮ２０にダウンロードする（ステップＳ３６、加入者情報送信ステップ）。ステップＳ３６の後、ＭＳＣ／ＳＧＳＮ２０は、ローミングＧＷ３０からダウンロードした加入者情報に含まれる「ＩＭＳＩ：自網」及び「ＭＳＩＳＤＮ：在圏通信網」をＭＳＣ／ＳＧＳＮ２０のＶＬＲに格納し、加入者情報のダウンロード応答をローミングＧＷ３０に送信した後、図４に示すステップＳ１０以降の一連の処理内容と同様の処理が行われる（ステップＳ３７）。
【００２９】
次に、図６に示すシーケンスを行う場合の作用効果を説明する。複数の通信網毎に設定された複数のＭＳＩＳＤＮの割り当てられた移動機１０の通信を、ローミングＧＷ３０を用いて制御する実施形態に係る通信制御方法は、移動機１０のアタッチ・位置登録要求に応じて複数の通信網の各々から送信される複数の加入者情報を、ローミングＧＷ３０が受信する加入者情報受信ステップと、複数の加入者情報の各々に含まれている複数のＭＳＩＳＤＮのうち移動機１０の在圏する通信網に属するＭＳＩＳＤＮを、移動機１０の発呼先に通知する通知用番号にローミングＧＷ３０が設定する通知用番号設定ステップと、ローミングＧＷ３０により設定された通知用番号を含む加入者情報を、ローミングＧＷ３０がＭＳＣ／ＳＧＳＮ２０に送信する加入者情報送信ステップと、ローミングＧＷ３０からの加入者情報に含まれている通知用番号を、ＭＳＣ／ＳＧＳＮ２０がＭＳＣ／ＳＧＳＮ２０のＶＬＲに記録する通知用番号記録ステップとを含む。そして、複数の通信網毎に設定された複数のＭＳＩＳＤＮの割り当てられた移動機１０に対しローミングを行う実施形態に係るローミングＧＷ３０であって、移動機１０のアタッチ・位置登録要求に応じて複数の通信網の各々から送信される複数の加入者情報を受信する加入者情報受信部３１２と、複数の加入者情報の各々に含まれている複数のＭＳＩＳＤＮのうち移動機１０の在圏する通信網に属するＭＳＩＳＤＮを、移動機の発呼先に通知する通知用番号に設定する通知用番号設定部３１３と、通知用番号を含む加入者情報を、ＭＳＣ／ＳＧＳＮ２０に送信する加入者情報送信部３１４とを備える。従って、通知用番号が、移動機１０の在圏する通信網のＭＳＩＳＤＮに自動的に設定できる。
【００３０】
また、図７は、移動機１０がＳＭＳ（Short  Message  Service）を用いてショートメッセージ（文字情報）を送信する場合の通信制御方法を説明するためのシーケンスである。図７に示すＩＷＭＳＣ７０（Inter  Working  MSC）は、ＭＳＣ／ＳＧＳＮ２０に通信可能に接続された中継機であり、ＳＭＳＣ８０（SMS  Center）は、ＩＷＭＳＣ７０に通信可能に接続されたＳＭＳ用の交換機である。ＩＷＭＳＣ７０及びＳＭＳＣ８０は、移動機１０の通知用番号の属する通信網に設けられている。以下、図４に示すステップＳ１〜Ｓ１３は完了されているものとする。まず、移動機１０は、ＭＳＣ／ＳＧＳＮ２０に対しショートメッセージの発信要求（ＳＭＳ発信要求）を送信する（ステップＳ３０、発信要求送信ステップ）。このＳＭＳ発信要求は、ＳＭＳＣ８０（ＳＭＳ発信要求の発信先）のアドレスと、ショートメッセージの送信先である他の通信機のＭＳＩＳＤＮとを含む。
【００３１】
ＭＳＣ／ＳＧＳＮ２０は、このＳＭＳ発信要求を受けると、ＭＳＣ／ＳＧＳＮ２０のＶＬＲに保持されている「ＭＳＩＳＤＮ：通知用番号」を、ショートメッセージの送信先に通知する移動機１０の通知用番号に設定する（ステップＳ３１）。ＭＳＣ／ＳＧＳＮ２０は、このＳＭＳ発信要求を、「ＭＳＩＳＤＮ：通知用番号」と共にＩＷＭＳＣ７０を介してＳＭＳＣ８０に送信する（ステップＳ３２、要求送信ステップ）。そして、ステップＳ３２の後、ＳＭＳＣ８０がこのＳＭＳ発信要求及び「ＭＳＩＳＤＮ：通知用番号」をＭＳＣ／ＳＧＳＮ２０からＩＷＭＳＣ７０を介して受けると、この「ＭＳＩＳＤＮ：通知用番号」に基づいて従来の発信制御が行われる（ステップＳ３３）。上述のようにして、通信制御システム１は、ＳＭＳを用いたショートメッセージの発信処理を行うことができる。
【図面の簡単な説明】
【００３２】
【図１】実施形態に係る通信制御システムの構成を示す図である。
【図２】ローミングＧＷの構成を示す図である。
【図３】ローミングＧＷの構成を示す図である。
【図４】実施形態に係る通信制御方法を説明するためのシーケンスである。
【図５】実施形態に係る通信制御方法を説明するためのシーケンスである。
【図６】実施形態に係る他の通信制御方法を説明するためのシーケンスである。
【図７】実施形態に係るＳＭＳの通信制御方法を説明するためのシーケンスである。
【符号の説明】
【００３３】
１…通信制御システム、１０…移動機、２０…ＭＳＣ／ＳＧＳＮ、３０…ローミングＧＷ、３１…ＣＰＵ、３２…ＲＡＭ、３３…ＲＯＭ、３４…入力装置、３５…出力装置、３６…通信装置、３７…記録装置、３８…バス、４０…ＨＬＲ＿自網、５０…ＨＬＲ＿他網、６０…ＧＭＳＣ、７０…ＩＷＭＳＣ、８０…ＳＭＳＣ、３１１…指定電話番号記録部、３１２…加入者情報受信部、３１３…通知用番号設定部、３１４…加入者情報送信部。  
【図１】
2008125012.tif 000003
【図２】
2008125012.tif 000004
【図３】
2008125012.tif 000005
【図４】
2008125012.tif 000006
【図５】
2008125012.tif 000007
【図６】
2008125012.tif 000008
【図７】
2008125012.tif 000009